(57)【特許請求の範囲】
【請求項１】
基地局から配信された全てのステーション情報をジャンル別タイトル別に分類した第１のリストと、
前記第１のリストにあるジャンル、各ジャンルに属するタイトル、及び前記タイトルが付けられた情報の中からユーザがピックアップしたもののみをリスト項目とした第２のリストとのうち何れか一方のリストを表示させ、そのリスト上のリスト項目を選択確定すると当該情報が呼び出される移動通信端末において、
前記第２のリストのリスト項目を選択する第１の選択手段と、
選択した前記リスト項目を一時購読ファイルとして確定する確定手段と、
前記一時購読ファイルの受信停止又は停止解除を選択する第２の選択手段と、
受信停止が選択された場合には前記一時購読ファイルの受信を停止し、
停止解除が選択された場合には前記一時購読ファイルの受信を再開する手段を具備したことを特徴とする移動通信端末。
【請求項２】
請求項１に記載の移動通信端末において、
前記ステーション情報として特殊情報を受信している場合、
一時購読ファイルとして特殊情報が選択され、受信停止が選択されたときには、受信停止不可能である旨を通知する画面を出力する手段を具備したことを特徴とする移動通信端末。
【発明の詳細な説明】
【０００１】
【発明の属する技術分野】
本発明は移動通信端末に係り、特に、基地局から配信されるステーション情報を自動的に受信する機能を具備した移動通信端末に関する。
【０００２】
【従来の技術】
近年、移動通信端末（特に、携帯電話機）向けの情報提供サービスが急速に普及している。そして、これに伴い端末本体の機能も進化し、多種多様な情報サービスを受けることが可能になっている。提供される情報サービスは天気予報からスポーツニュース・交通情報まで、そのジャンルが多岐に及んでおり、ユーザは移動中や外出先でも様々な情報を取得することができる。
【０００３】
【発明が解決しようとする課題】
しかしながら、ユーザ各自が必要とする情報、興味のある情報はその中の数件〜数十件である場合がほとんどであり、これら数件〜数十件の情報の購読も必要に応じて一時的に停止したり再開したりすることができれば、ユーザの煩わしさを軽減することが可能になる。
本発明は上記の点に鑑みてなされたもので、情報購読の一時停止／停止解除を容易にし、ユーザの煩わしさを軽減することのできる移動通信端末を提供することを目的とする。
【０００５】
【課題を解決するための手段】
本発明は上記課題を解決するため、基地局から配信された全てのステーション情報をジャンル別タイトル別に分類した第１のリストと、第１のリストにあるジャンル、各ジャンルに属するタイトル、及びタイトルが付けられた情報の中からユーザがピックアップしたもののみをリスト項目とした第２のリストとのうち何れか一方のリストを表示させ、そのリスト上のリスト項目を選択確定すると当該情報が呼び出される移動通信端末において、第２のリストのリスト項目を選択する第１の選択手段と、選択したリスト項目を一時購読ファイルとして確定する確定手段と、一時購読ファイルの受信停止又は停止解除を選択する第２の選択手段と、受信停止が選択された場合には一時購読ファイルの受信を停止し、停止解除が選択された場合には一時購読ファイルの受信を再開する手段を具備したことを特徴とする。
なお、上記移動通信端末においては、ステーション情報として特殊情報を受信している場合、一時購読ファイルとして特殊情報が選択され、受信停止が選択されたときには、受信停止不可能である旨を通知する画面を出力する手段を具備することが好ましい。
【０００６】
【発明の実施の形態】
次に図１〜６を参照して本発明による移動通信端末の実施の形態を詳細に説明する。ここで、図１は本発明の実施の形態としての携帯電話機を示す機能ブロック図、図２〜図６は本発明の実施の形態を説明するための画面遷移図である。
図１を参照すると、本発明による移動通信端末を携帯電話機に適用した実施の形態を示す機能ブロック図が示されている。同図において、アンテナが接続される送受信回路部１０は、移動通信端末における送受信処理を、ＣＰＵを内臓した制御部１２に制御されることにより行う回路である。すなわち、送受信回路部１０は音声メッセージや文字メッセージまたは制御信号等を高周波により変調してアンテナより送出したり、アンテナより受信した音声メッセージや文字メッセージまたは制御信号等を復調して制御部１２に出力する。
【０００７】
制御部１２は、フラッシュメモリ１４（この場合、ＥＥＰＲＯＭ）に記憶されたプログラムやデータに従って、キー操作部２４および送受信回路部１０からの制御信号により動作し、送受信回路部１０、ＬＣＤドライバ１８および音声処理部２６を制御する。また、制御部１２はＲＡＭ１６に接続され、ＲＡＭ１６をフラッシュメモリ１４に記憶されたプログラムを実行するときのワークエリアとして使用する。ＲＡＭ１６には、文字入力の際の辞書機能の１つである学習機能データも記憶される。フラッシュメモリ１４は、メッセージセンタから受信した文字メッセージや文字パターン（英、数字も含む）／アイコン（図形）などのフォント情報を記憶し、さらに電話帳メモリとしても使用され、複数の電話番号および氏名等を記憶する。
【０００８】
ＬＣＤドライバ１８は制御部１２の制御に従ってＬＣＤ表示部２２を駆動してこれの表示を行う。すなわち、ＬＣＤドライバ１８は、制御部１２からの制御信号に対応する文字パターン（英、数字も含む）やアイコン（図形）パターンをフラッシュメモリ１４から読み出し、ＬＣＤ表示部２２に表示する。音声処理部２６は、スピーカ２８およびマイク３０に接続され、制御部１２から入力した音声信号を増幅してスピーカ２８で出力したり、マイク３０で入力した音声信号を増幅して制御部１２に出力する処理を行う。
【０００９】
照明３２はキー押下時や着信時等に制御部１２によって点灯、消灯制御され、点灯するとキー操作部２４およびＬＣＤ表示部２２を明るく照明する。バイブレータ３４は制御部１２に接続され、この制御部１２の制御の下、着信時等に振動してそれを知らせる。リンガ又はスピーカ３６は制御部１２によって制御され、着信時等に鳴動してそれを知らせる。着信ＬＥＤ（着信発光ダイオード）３８は制御部１２に接続され、この制御部１２による制御の下、着信時等に点滅してそれを知らせる。
【００１０】
図２（ａ）〜（ｃ）は図１で説明した携帯電話機で受けることのできる情報提供サービスの具体例である。同図（ａ）に示すのがリクエストサービスの概要図であり、（ｂ）に示すのが自動配信サービスの概要図であり、（ｃ）に示すのがステーションサービスの概要図である。
図２（ａ）のリクエストサービスは、携帯電話機２００のＬＣＤ表示部２２にメニューリストを表示させ、キー操作部２４を使って当該メニューを選択したり、キーワードを入力するなどしてリクエストメッセージ２０１を情報サービスセンタ２０３に送信し、リクエストメッセージ２０１を受取った情報サービスセンタ２０３が蓄積している情報を携帯電話機２００に配信する仕組みになっている。
【００１１】
図２（ｂ）の自動配信サービスでは、携帯電話機２００のＬＣＤ表示部２２にメニューを表示させ、キー操作部２４を使って取得したい情報の種類や受け取りたい日時などを入力し、設定メッセージ２０５として情報サービスセンタ２０３に送信する。設定メッセージ２０５を受取った情報サービスセンタ２０３は指定日時がきたら、蓄積している所定の種類の情報を携帯電話機２００に自動的に配信する仕組みになっている。
図２（ｃ）のステーションサービスは、同図（ａ）リクエストサービスや（ｂ）自動配信サービスのようなリクエスト・アクセス型の情報提供サービスとは異なり、情報提供者２０９が発信した情報を基地局２０７が受け取り、基地局２０７から配信されるその情報を携帯電話機２００が自動的に受信する仕組みになっている。
【００１２】
図３は携帯電話機２００のキー操作部２４の拡大図である。チェックキー３０１はＬＣＤ表示部２２にリストメニューを表示させる時などに押下する機能キーであり、事業者サービスキー３０３はテンキー３１１を続けて押下することにより所定の操作画面に移行するための機能キーであり、モードセット（MODE/SET）キー３０９は各項目を選択したり確定したりするときに使用する多方向操作キーである。また、オンフックキー３０５は電話を切るときなどに押下するキー、オフフックキー３０７は電話を受けたり、情報サービスセンタ２０３との通信を開始したりするとき等に押下するキーである。その他、テンキー３１１は相手先の電話番号を入力したり、送信メッセージを入力するときなどに押下するキーである。以下、本実施の形態では図３で用いたキー名称と符号とを引用する。
【００１３】
次に、図４の携帯電話機２００のＬＣＤ表示部２２の画面遷移図を参照して、メインリストから当該ステーション情報を確認するときの操作例を説明する。図示しない待ち受け画面において、事業者サービスキー３０３→「３」と表記されたテンキー３１１の順でキーを押下すると、メニュー選択画面４０１が表示される。同画面の１行目には選択中のアイコンの機能名（ステーション）が表示され、その下に左端からメールアイコン、ウェブアイコン、ステーションサービスアイコンの３つのアイコンが表示されている。
【００１４】
メニュー選択画面４０１の状態で「１」と表記されたテンキー３１１を押下すると、メールアイコンが選択され、メールセンタを介して相手の携帯電話機やインターネットに接続しているパソコンなどとの間で文字メッセージを授受することができる。メニュー選択画面４０１の状態で「２」と表記されたテンキー３１１を押下すると、ウェブアイコンが選択され、サービスセンタ２０３に蓄積されている様々な情報を携帯電話機２００で入手することができる。本実施の形態ではメニュー選択画面４０１の状態で「３」と表記されたテンキー３１１を押下したときの説明をする。
メニュー選択画面４０１の状態で「３」と表記されたテンキー３１１を押下すると、ステーションサービスの各機能に対応したアイコン一覧（ステーションメニュー）が表示される（画面４０３）。以下に、画面４０３に表示されている合計８つのアイコンの機能名と機能概要とを記載する。
【００１５】
（１）メインリスト（画面４０３上段左）
基地局から配信された全てのステーション情報をジャンル別タイトル別に分類したリスト。
（２）マイリスト（画面４０３上段中央）
メインリストの中からユーザがピックアップしたタイトルをマイリストに登録しておくと、このリストのタイトルが更新される毎に「新着情報」としてユーザに通知される。
（３）情報ボックス（画面４０３上段右）
メインリスト、又はマイリストの情報を蓄積型にメッセージ変換したものが保存される。一度保存した情報は手動で消去しない限り消去されない。
（４）リスト更新（画面４０３中段左）
メインリストを最新の情報に更新する。
（５）ユーザ設定（画面４０３中段中央）
ステーションサービスの各種設定を行う。
（６）位置情報ボックス（画面４０３中段右）
現在地の位置情報を取得したり、取得した位置情報を掲示板に設定する。
（７）申込内容確認（画面４０３下段左）
有料情報受信の設定を確認する。
（８）新着情報（画面４０３下段中央）
新しく受信した情報を確認する。
【００１６】
画面４０１と同様に、画面４０３の１行目には選択中のアイコンの機能名（メインリスト）が表示される。画面４０３の状態でモードセットキー３０９を押下すると、メインリスト内の全ジャンルが表示される（画面４０５）。メインリストの欄外（画面４０５の最下部）にはステータス表示部が設けられ、メインリスト全件中の何件目のジャンルを選択しているか表示される。画面４０５の状態では６３件中の1件目（天気予報）を選択していることが表示されている。
【００１７】
画面４０５の状態でモードセットキー３０９を押下すると、選択ジャンル（この場合、天気予報）内の全タイトルが表示される（画面４０７）。このリストの欄外（画面４０７の最下部）にはステータス表示部が設けられ、選択ジャンル内の全タイトルのうち何件目のタイトルを選択しているか表示される。画面４０７の状態では１０件中の1件目（今日・明日・週間の天気）を選択していることが表示されている。
画面４０７の状態でモードセットキー３０９を押下すると、当該ジャンル−当該タイトルに対応した内容の情報（この場合、「今日・明日・週間の天気」）が表示される（画面４０９）。
【００１８】
次に、図５の携帯電話機２００のＬＣＤ表示部２２の画面遷移図を参照して、ユーザの興味のあるタイトルをメインリストからマイリストに登録するときの操作例を説明する。なお、本実施の形態ではタイトル「今日・明日・週間の天気」を登録する場合の説明を行うが、図４の画面４０５に表示されているジャンルや、画面４０９に表示されている情報を登録することも可能である。
画面５０１は画面４０７（図４）に相当し、画面５０１の状態に移行するまでの画面遷移も画面４０１から画面４０７までのそれと同様である。画面５０１では1行目の「今日・明日・週間の天気」が選択されている。この状態でチェックキー３０１を押下すると、２行目に「マイリスト登録」３行目に「リスト更新」と表示された画面５０３があらわれる。画面５０３では２行目の「マイリスト登録」が選択されているので、この状態でモードセットキー３０９を押下すると確認画面（画面５０５）が表示される。
【００１９】
画面５０５には上段に登録するか否かユーザに確認する文字列が表示され、画面中央左には登録する旨を携帯電話機１００に通知する文字（Ｙｅｓ）、画面中央右には登録しない旨を携帯電話機１００に通知する文字（Ｎｏ）が表示されている。ここでは、多方向操作キーであるモードセットキー３０９を右側に倒し、「Ｙｅｓ」を選択する。続けてモードセットキー３０９を押下すると画面５０７が表示される。画面５０７には当該タイトル（この場合「今日・明日・週間の天気」）をマイリストに登録した旨が表示される。
以上のようにして、興味のあるジャンル、タイトル、又は情報をマイリストに登録することにより、ユーザは興味のある情報が更新される度に比較的簡易な操作で当該情報を確認することができる。
【００２０】
登録後のマイリストは、事業者サービスキー３０３→「３」と表記されたテンキー３１１→「３」と表記されたテンキー３１１→「２」と表記されたテンキー３１１→「２」と表記されたテンキー３１１、の順でキー押下することにより確認することができる（画面５０９）。
画面５０９にはマイリストのリスト項目が表示される。さらに、マイリストの欄外（画面５０９の最下部）にはステータス表示部が設けられ、マイリスト全件中の何件目のリスト項目を選択しているか表示される。画面５０９の状態では登録件数３０件中の1件目（天気予報）を選択していることが表示されている。
【００２１】
画面５０９の状態でモードセットキー３０９を押下すると、選択ジャンル（この場合、天気予報）内の全タイトルが表示される（画面５１１）。このリストの欄外（画面５１１の最下部）にはステータス表示部が設けられ、選択ジャンル内の全タイトルのうち何件目のタイトルを選択しているか表示される。画面５１１の状態では１０件中の1件目（今日・明日・週間の天気）を選択していることが表示されている。画面５１１の状態でモードセットキー３０９を押下すると、当該ジャンル−当該タイトルに対応した内容の情報（この場合、「今日・明日・週間の天気」）が表示される（画面５１３）。
【００２２】
次に、図６の携帯電話機２００のＬＣＤ表示部２２の画面遷移図を参照して、マイリストにあるリスト項目の受信を停止したり、受信の停止を解除したりするときの操作例を説明する。
図示しない待ち受け状態画面から、事業者サービスキー３０３→「３」と表記されたテンキー３１１→「３」と表記されたテンキー３１１→「２」と表記されたテンキー３１１→「２」と表記されたテンキー３１１、の順でキー押下すると画面６０１が表示されるので、一時的に受信を停止したい（又は、停止していた受信を再開したい）リスト項目を一時購読ファイルとして選択する。
【００２３】
画面６０１の状態でチェックキー３０１を押下すると画面６０３に移行する。同画面の１行目にはリストメニューを表示している旨が表示され、２行目からリスト項目が表示されている。２行目〜５行目までのリスト項目は、上から「スクリーンセーバ設定」「リスト順変更」「削除」「一時購読設定」となっている。
本実施の形態では５行目の「一時購読設定」を選択したときの動作を説明する。画面６０３の状態で多方向操作キーであるモードセットキー３０９を下方向に倒し、５行目の「一時購読設定」を選択する。続けてモードセットキー３０９を押下すると一時購読設定画面（画面６０５又は画面６０９）に移行する。なお、その時点での設定がＯＦＦ（受信停止状態）の場合には画面６０５へ、その時点での設定がＯＮ（受信状態）の場合には画面６０９へ移行する。
【００２４】
画面６０５の状態でモードセットキー３０９を押下すると一時購読がＯＮに設定され、画面６０１で選択したリスト項目の受信を再開する。ＬＣＤ表示部２２には設定終了画面（画面６０７）が表示される。
画面６０９の状態でモードセットキー３０９を押下すると一時購読がＯＦＦに設定され、画面６０１で選択したリスト項目の受信を停止する。ＬＣＤ表示部２２には設定終了画面（画面６１１）が表示される。但しここで、一時購読ファイルとして災害時の避難場所などを記載した「緊急情報」などの受信停止させるべきでない特殊情報を選択した場合は、続けてモードセットキー３０９を押下すると受信停止不可能である旨を通知する画面が表示される。
このように本発明の実施の形態である携帯電話機によると、マイリストのリスト項目の受信を一時的に停止したり、停止していた受信を再開することが可能になる。
【００２５】
【発明の効果】
以上詳細に説明したように本発明の移動通信端末によれば、情報購読の一時停止／停止解除を容易にし、ユーザの煩わしさの軽減を図ることができる。
【図面の簡単な説明】
【図１】本発明の移動通信端末の実施の形態を示すブロック図。
【図２】本発明の実施の形態である携帯電話機に提供される情報サービスの概要図。
【図３】本発明の実施の形態である携帯電話機のＬＣＤ表示部の画面遷移図。
【図４】本発明の実施の形態である携帯電話機のＬＣＤ表示部の画面遷移図。
【図５】本発明の実施の形態である携帯電話機のＬＣＤ表示部の画面遷移図。
【図６】本発明の実施の形態である携帯電話機のＬＣＤ表示部の画面遷移図。
【符号の説明】
１２  制御部
１４  フラッシュメモリ
２２  ＬＣＤ表示部
【図１】
0003731457.tif 000002
【図２】
0003731457.tif 000003
【図３】
0003731457.tif 000004
【図４】
0003731457.tif 000005
【図５】
0003731457.tif 000006
【図６】
0003731457.tif 000007